(57)【要約】【課題】アプリケーションがメモ領域を付加する機能を持っていなかったとしても、自由にメモ領域を設けることが出来る印刷システムを提供する。【解決手段】アプリケーションにおいて作成した文書をプリンタに出力する際に用いられるプリンタドライバにおいて、その設定画面中にメモ用紙の印刷設定を行う項目を有し、メモ用紙を印刷すると設定された場合には、メモ用紙となる空白領域をページ中に或いは新たなページとして挿入する【選択図】    図４
2007025923.tif 000002
【特許請求の範囲】
【請求項１】
アプリケーションにおいて作成した文書をプリンタに出力する際に用いられるプリンタドライバにおいて、その設定画面中にメモ用紙の印刷設定を行う項目を有し、メモ用紙を印刷すると設定された場合には、メモ用紙となる空白領域をページ中に或いは新たなページとして挿入することを特徴とする印刷システム。
【請求項２】
前記メモ用紙はユーザが指定した任意のデータを利用可能としたことを特徴とする請求項1記載の印刷システム。
【請求項３】
Ｎ枚の原稿を１枚のシート上に集約印刷する設定において、メモ用紙を挿入する場合は、Ｎ-Ｍ枚（Ｎ、Ｍは正の整数で、Ｎ＞Ｍ）の原稿と原稿Ｍ枚分の空白ページとを集約して印刷することを特徴とする請求項1又は2に記載の印刷システム。
【請求項４】
前記Ｍが１であり、原稿が優先的に配置され、空白ページはの余白部分に配置されることを特徴とする請求項３に記載の印刷システム。
【請求項５】
原稿部分に十分な余白があると判断した場合には、該当ページに対してはメモ用紙の追加を行わない若しくは、該当ページの余白部分にメモエリアを自動的に作成することを特徴とする請求項１、２、３に記載の印刷システム。
【請求項６】
章の先頭ページを奇数ページに配置して両面印刷を実行するCHAPTER機能を利用した印刷の場合において、メモ用紙の挿入は、章の最終ページに空白ページを設けることであることを特徴とする請求項１記載の印刷システム。
【請求項７】
原稿／メモ付き同時印刷が指示された場合には、原稿そのままの状態での印刷とメモ用紙を挿入する印刷とを交互に行うことを特徴とする請求項１記載の印刷システム。
【請求項８】
メモ欄には文書ファイル名／作成者名等の文書ファイル情報を文書ファイルから自動的に取得することにより付加することを特徴とする請求項１記載の印刷システム。
【請求項９】
メモ用紙の挿入機能はプリンタ側に有し、プリンタドライブからはプリンタに対してメモ用紙の挿入を意味するコマンドを送出することを特徴とする請求項１〜８に記載の印刷システム。
【発明の詳細な説明】
【技術分野】
【０００１】
本発明は、プレゼンテーション用等において所望ページにメモ用紙を印刷することのできる印刷システムに関する。
【背景技術】
【０００２】
マーケティングやリサーチの業務を行う中で、プレゼンテーションは仕事を自分の思った通りに進めたり、業務を獲得したりする上で大事なイベントである。このプレゼンテーションに先立って、作成する配布用の資料は、通常、特定のオフィスツールを用いて行われている。
配布用の資料は、参加者の注意を惹くように色々工夫されている。注目して欲しい箇所を着色するとか、太文字にするとか、字体を変えるとか、更にはメモ欄を付加するとかである。これらの内、多くのものは、複数のオフィスツールにおいてサポートされている。
【０００３】
ところが、メモ欄を付加する機能は、多くのアプリケーションにおいてサポートされておらず、特定のアプリケーションでしか行うことが出来ない。
なお、従来技術は、文献公知ではないため、記載すべき先行技術文献情報はない。
【発明の開示】
【発明が解決しようとする課題】
【０００４】
このため、その機能を持たないアプリケーションでプレゼン資料を作成している際には、意識してメモ書きする領域を設ける必要があり、煩雑な作業を強いられることになり、効率が悪いと言う課題がある。
本発明は、上記課題に鑑み，アプリケーションがメモ領域を付加する機能を持っていなかったとしても、自由にメモ領域を設けることが出来る便利な手段を提供することを目的とする。
【課題を解決するための手段】
【０００５】
上記目的を達成するために本発明は、アプリケーションにおいて作成した文書をプリンタに出力する際に用いられるプリンタドライバにおいて、その設定画面中にメモ用紙の印刷設定を行う項目を有し、メモ用紙を印刷すると設定された場合には、メモ用紙となる空白領域をページ中に或いは新たなページとして挿入することを特徴
としている。
【発明の効果】
【０００６】
上記構成によれば、文書作成アプリケーションが、メモ挿入機能を備えていない場合においても、操作者は、希望するなら、メモ用紙を印刷シート上に作成することができ、文書作成アプリケーションによって定まる機能制約から解放される。このため、アプリケーション選択の自由度が高まるし、プレゼンテーション等の作業を魅力的にアレンジすることが出来る。
ここで、前記メモ用紙はユーザが指定した任意のデータを利用可能とすることができる。例えば文書名、作成者名、作成日時などをメモ領域に印刷しておくと、メモ記入事項の一部となり、その分、メモ記入者の作業を軽減できる。
【０００７】
さらに、Ｎ枚の原稿を１枚のシート上に集約印刷する設定において、メモ用紙を挿入する場合は、Ｎ-Ｍ枚（Ｎ、Ｍは正の整数で、Ｎ＞Ｍ）の原稿と原稿Ｍ枚分の空白ページとを集約して印刷するようにすることが出来る。
このようにすると、集約印刷の場合にも、各シートの一部に必ずメモ領域を設定できることになり、便利である。
【０００８】
原稿部分に十分な余白があると判断した場合には、該当ページに対してはメモ用紙の追加を行わない若しくは、該当ページの余白部分にメモエリアを自動的に作成する構成で実施することも出来る。
この構成とすれば、余白が十分にある場合においても、更に別途にメモ領域を確保するといった、無駄を無くすことが出来る。
【０００９】
また、章の先頭ページを奇数ページに配置して両面印刷を実行するCHAPTER機能を利用した印刷の場合において、メモ用紙の挿入は、章の最終ページに空白ページを設けることとする。
このようにすると、章単位でメモを残すことが出来、纏まりが良い。
また、原稿／メモ付き同時印刷が指示された場合には、原稿そのままの状態での印刷とメモ用紙を挿入する印刷とを交互に行う構成と
することができる。
【００１０】
この構成であると、原稿そのままの印刷はプレゼンテーション用として、メモ月印刷は、参加者に配布する資料として利用できる。
【発明を実施するための最良の形態】
【００１１】
以下、本発明に係る印刷システムの実施の形態を、図面を用いて説明する。
［全体構成］
図１は、複数台の端末Ｔ１、Ｔ２、Ｔ３・・・がネットワークＮを介してネットワークプリンタＰと接続されてなる印刷システムを示している。
各端末Ｔ１、Ｔ２・・・とネットワークプリンタＰとは、ＴＣＰ／ＩＰプロトコルにより通信可能とされている。
【００１２】
［端末の構成］
各端末Ｔ１、Ｔ２・・・は、図２に示すようにＯＳと、ＯＳ上で動作する文章編集アプリケーション１、プリンタドライバ２とから構成される。ＯＳは、描画プログラム３、スプーラ４、ポートモニタ５、ＴＣＰ／ＩＰスタック６等からなる。
描画プログラム３は、円や、四角などの図形、文字、ビットマップなどを描画するために用意されたコマンドの集まりであって、アプリケーション１からの依頼に対して、図形や文字のデータを、ＥＭＦ（Enhanced Metafile）形式で作成する。作成されたＥＭＦデータは、スプーラ４によって一端、端末のハードディスクに保存される。一旦保存するのは、プリンタが複数の端末からの印刷データを同時に受け付けることができないからである。
【００１３】
プリンタ側が、例えばプリンタサーバを介してネットワークに繋がっている場合には、プリンタサーバに印刷データを保存することが出来るので、端末側でのデータの保存は不要で、描画プログラムが作成したＥＭＦデータをプリンタドライバ２で変換後、直ちに送出することができる。
［プリンタドライバ］
プリンタドライバ２は、スプールされたＥＭＦデータをプリンタＰが解釈できるＰＤＬ等の形式（ＲＡＷ）に変換する他、アプリケーション１ではサポートされていない印刷形式を設定、選択することが出来る。図３は、ユーザが印刷の依頼をすることによってプリンタドライバが起動された場合に、端末画面に表示されるプリンタドライバの設定画面である。この画面中のプロパティボタン２１を押すと、図４に示すプロパティ画面が表示される。この画面において、「メモ用紙」タブ２０を選択すると、同図に示すように「メモ用紙」を挿入するか否かの選択をするラジオボタン２２、メモ用紙の「挿入形態」を選択するラジオボタン２３、プルダウンメニュ２４、「メモの形態」を選択するラジオボタン２５、プルダウンメニュ２６等を有した画面が表示される。メモ用紙を挿入しないラジオボタン２２Ｂを押すと、「挿入形態」の入力、「メモの形態」の入力は出来なくなる。メモ用紙を挿入するラジオボタン２２Ａを押すと、「挿入形態」、「メモの形態」いずれにも入力できる。「挿入形態」で、各ページのラジオボタン２３Ａを押すと、印刷する各ページにメモ用紙が設定される。なお、ここでいうメモ用紙は、印刷用紙の例えば下側に確保された、メモを記入するのに必要な面積を持つ白紙領域を意味している。メモ用紙の位置、大きさは、随時設定できる。
【００１４】
「挿入形態」で、選択ページのラジオボタン２３Ｂを押すと、プルダウンメニュ２４から選択できるようになる。図５Ａは、プルダウンメニュの項目を示している。この項目の中から、任意の１項目を選択することが出来る。自動のラジオボタン２３Ｃを押すと、メモ用紙を挿入するか否かの判断まで自動的に行い、そのまま印刷すると、ページに余白がなくなると判断すると、途中から印字を止めて、メモ用の余白を確保するし、そのまま印字しても、余白が確保できるなら、別途にメモ用の領域を確保することはしない。
【００１５】
「メモの形態」から空白作成ラジオボタン２５Ａを押すと、メモ用紙として空白領域が確保される。ユーザ指定ラジオボタン２５Ｂを押すと、プルダウンメニュ２６からいずれかの項目を選択することが出来る。図示例では、文書ファイル名／作成者名を付加する選択が出来るようにしている。その他、作成日時、印刷日時、プリンタ機種等の任意のデータを選択できるようにしても良い。
【００１６】
このようにプロパティ画面から印刷形態を選択し、ＯＫボタンをおすと、設定内容が確定し、プリンタドライバ２から印刷データをプリンタに送付する際に、同時に印刷形態指定用のコントロール情報として送付される。
なお、従来のプリンタドライバは、上記のようにメモ用紙設定画面を備えてはいない。従って、既存のプリンタドライバのソフトウエアを編集して、上記設定画面を呼び出したり、表示させたり、ユーザが項目の選択をすれば、それに応じてプリンタへのコマンドを追加、修正する必要がある。ただし、プリンタドライバは、ユニバーサルドライバという一種の汎用ドライバを用いており、デバイスごとに異なる情報をパラメータとして与えることにより、特定プリンタに対応するプリンタドライバを容易に開発できるものである。OSがWINDOWS（登録商標） Ver.3.1では、SystemディレクトリのUNIDRV.DLLがユニバーサルドライバライブラリファイルであり、ここに、図４、図５Ａ、Ｂに示した内容に対応するエスケープシーケンスを記述するだけで、後はユニバーサルドライバが適切なプリンタコードを生成する。従って、本実施の形態で用いるプリンタドライバは既存のドライバとは異なるが、ユニバーサルドライバを用いていることと、ユニバーサルドライバライブラリファイルに希望する処理を記述することにより、プリンタコードを自動生成することが出来るので、図４、５に示すプロパティ画面並びにその説明だけで、当業者であれば、希望するプリンタドライバを作成することが出来るものである。
【００１７】
［端末の動作］
次に、再び、図2を参照して、ポートモニタ５は、デバイスドライバの１つで、ＯＳのプリントサービスと実際のプリンタとの間を仲介する。
ＴＣＰ／ＩＰスタック６は、インターネット等で標準的に用いられているプロトコルであり、ＯＳＩ参照モデルの第３層と第４層に相当する。
【００１８】
上記端末Ｔ１、Ｔ２・・・の処理動作を要約すると、次の通りである。ユーザがアプリケーション１に印刷を指示すると、アプリケーション１は描画プログラム３にデータの作成を依頼する。この依頼に対して、描画プログラム３は、ＥＭＦ形式でデータを作成し、一旦、スプーラ４によってハードディスクに保存する。スプールされたＥＭＦデータは、プリンタドライバ２によって、ＲＡＷデータに変換され、ポートモニタを通じて、ＬＡＮ経由でネットワークプリンタへ送信される。このとき、ユーザは、プロパティ画面で、メモ用紙に関する詳細な設定をしているので、その情報もＲＡＷデータと共にプリンタに送出される。
【００１９】
［ネットワークプリンタ］
ネットワークプリンタＰは、多機能プリンタであり、縮小／拡大コピーは勿論、２in１、４in１といった集約印刷、両面印刷、章の先頭を奇数ページに配置するCHAPTER機能、原稿とメモ付き原稿の同時印刷ができる原稿／メモ付き印刷といった広範な印刷が可能である。原稿／メモ付き同時印刷機能を除く、上記各機能をもったプリンタは既に公知である。原稿／メモ付き同時印刷機能は、それが選択されると、1部は原稿を印刷し、もう1部はメモ領域が確保された原稿を印刷することが出来る。これは、原稿はＯＨＰ用に、メモ付き原稿は視聴者の手元に配布するために用いるためである。
【００２０】
［ネットワークプリンタの動作］
図6は、プリンタＰがいずれかの端末Ｔ１、Ｔ２、Ｔ３・・・から印刷データを受信したときに動作するプログラムの処理を示すフローチャートである。
印刷データを受信すると（Ｓ１）、そのデータにプリンタドライバによって付加されたコマンドを検出し、メモ用紙を挿入する指示があるか否か（Ｓ２）、指示がある場合において、各ページに挿入する設定か（Ｓ３）、自動判断により挿入する設定か（Ｓ４）、集約印刷での挿入か（Ｓ５）、ＣＨＡＰＴＥＲ印刷の指定か（Ｓ６）、原稿／メモ付きの同時印刷指示であるか（Ｓ７）を判断する。
【００２１】
メモ無しの指示の場合は（Ｓ２）、通常の印刷処理（Ｓ８）を行う。メモ付き指示があって各ページに挿入する設定であると（Ｓ２＆Ｓ３）、図7の処理に進む。先ず、1ページ分の印刷データを取得する（Ｓ１１）。このステップＳ１１の処理を少し詳しく解説する。
［メモ領域確保処理］
印刷データはジョブ単位に端末からＩＰパケットに格納して、ＬＡＮ経由で送られて来る。1ジョブの印刷データが1ページの場合は、1ページ分相当のパケット数で送られるし、1ジョブが複数ページに亘っている場合はそのページ分相当のパケット数で送られてくる。プリンタは最後のパケットを受信することにより、1ジョブ当たりの印刷データの受信を終了する。このため、プリンタは、ジョブ単位に印刷データを一時保存する。ステップＳ１１の1ページ分の印刷データの取得は、一時保存した1ジョブ当たりの印刷データから、印刷を実行する1ページ分を切り出す処理を意味している。
【００２２】
そして、切り出した1ページ分の印刷データを、８０％に縮小する（Ｓ１２）。縮小によって、用紙に２０％の余白が出来、これをメモ領域として利用する。用紙上のどの位置に余白を配置するかは、任意であるが、この実施例では、用紙の下部に配置することとしている。
メモ領域を確保できたら、続いて、メモ形態の設定を行う（Ｓ１３）。この処理は、図4の印刷設定画面において「メモの形態」で選択された状態に応じて、設定をするものである（Ｓ６１）。印刷データと共に送られてくる、コマンド中に、空白指定のコマンドがあれば、何らの設定をすることなく、直ちにリターンする。一方、コマンド中に、文書ファイル名／作成者名を記入するコマンドがあれば、それらの情報を印刷データから或いは受信したパケットのヘッダから取得し（Ｓ６２）、メモ領域にそれらの情報を配置する（Ｓ６３）。なお、前記情報がパケットヘッダにも無い場合は、依頼端末に問い合わせ、編集アプリケーション1の保存する書誌的事項を送付してもらうことも可能である。
【００２３】
［メモ枠設定］
また、メモの形態がメモ枠を印刷する設定になっていれば、印刷モードがカラーかモノクロかに応じて（Ｓ６４）、枠色を決定する（Ｓ６５）。
上記いずれかの設定が完了すれば、処理は、図7のステップＳ１４に進み、印刷を行う。図１３（Ａ）は、メモの形態として空白を設定した場合の、印刷結果を示す。図中、Ｄ１は、８０％に縮小された印刷データ、Ｄ２は、空白のメモ領域である。図１３（Ｂ）は、文書ファイル名等をメモ領域に配置した例を示している。図１３（Ｃ）は、メモ枠を記載した例を示している。Ｄ３がメモ領域で、Ｌがメモ枠である。
【００２４】
以上のようにして残りページがなくなるまで（Ｓ１５）、1ページずつ印刷を行い、残りページがなくなった段階で印刷処理を終了する。
［メモ挿入の自動判断］
次に、図６に戻って、メモ挿入が自動判断に委ねられている場合は（Ｓ４）、図８に進む。この自動判断は、既述したように印刷データに余白がある場合は、新たなメモ領域は作成しないで、余白が無い場合にメモ領域を作成するものである。
図８において、先ず、1ページ分の印刷データを取得して（Ｓ２１）、そのページにメモ領域相当の余白があるか否か判定する。この判定は、文字数から判定してもいいし、連続する無文字領域の縦サイズ、横サイズを求め、その大きさから判定することも出来る。これらの処理は、画像処理技術においては困難性無く、実施できる。
【００２５】
メモ領域相当の大きさの余白がある場合は、改めて余白を確保することなくメモ形態の設定へ進む（Ｓ２４）。一方、余白が無い場合は、図7の目も領域設定処理と同様、印刷データを８０％に縮小して、余白を強制的に確保し（Ｓ２３）、メモ形態設定処理に進む（Ｓ２４）。メモ形態設定処理は、図１２に示したとおりであり、既に説明したので、繰り返しの説明は省略する。この後、1ページ分の印刷データの印刷を行う（Ｓ２５）。そして、印刷データが残っている限り（Ｓ２６）、Ｓ２１から２５までの処理を繰り返し、残存データがなくなると、印刷処理を終了する。
［集約印刷］
次に、図6において、集約印刷が選択されている場合には（Ｓ５）、処理は図9に進む。集約印刷として、ここでは「４in１」が選択され、4ページ分の印刷データを1ページの用紙に縮小して印刷する設定になっている場合を例にとって説明する。従って、Ｎ＝４である。先ず、プリンタ内に保存している全印刷データから３ページ分の印刷データを取得し（Ｓ３１）、各ページを１／４に縮小する（Ｓ３２１）。そして、縮小後の印刷データ３ページ分と１／４に縮小された空白ページ１ページ分との合計４ページ分を仮想の用紙サイズ内に配置する（Ｓ３３）。この後、メモ形態設定を行って（Ｓ３４）、印刷する（Ｓ３５）。保存している印刷データがある限り、Ｓ３１〜Ｓ３５の処理を繰り返し、残存データがなくなれば（Ｓ３６）、印刷を終了する。図１４は、集約印刷された例を示している。図中、Ｄ５・・・は、印刷データ、Ｄ６はメモ領域である。
［ＣＨＡＰＴＥＲ印刷］
次に図６において、ＣＨＡＰＴＥＲ印刷でメモ付き指示があった場合（Ｓ６）、処理は図１０に進む。
【００２６】
ＣＨＡＰＴＥＲ印刷は、複数ページを両面印刷する場合において、原稿の何ページと何ページを表面に印刷する旨の指定がある場合の印刷モードをいう。例えば原稿の１ページ目と４ページ目とを表面にする指定がされていると、１ページ目が表面に印刷され、２ページ目をその裏面に、３ページ目を２枚目の用紙の表面に、と印刷した後、４ページ目を印刷する場合には、３ページ目の裏面を空白で残して、３枚目の用紙の表面に印刷する。あたかも、３ページ目までが第１章、４ページから後が次の章というように章構成をとるところからこのように呼ばれている。
【００２７】
図１０において、先ず、１章分の印刷データを取得する（Ｓ４１）。上記例であると、３ページまでの印刷データが取得されることになる。取得した章の最終ページが奇数か偶数回収の判定を行い（Ｓ４２）、奇数ページの場合は、直接メモ用紙の設定処理へ進む（Ｓ４４）。偶数ページの場合は、メモ用シートを１枚繰り出す指示をして後（Ｓ４３）、メモ用紙設定処理を行う（Ｓ４４）。１章が奇数ページであると、最後の用紙の裏面は余白となるので、これをメモ用紙と利用することが出来る。一方、偶数ページの場合は、最後の用紙の裏面まで印刷データが存在する。このため、余分に１ページ繰り出して、メモ用紙とするのである。この場合は、最後の用紙の裏表２ページが空白になる。
上記のようにしてメモ用紙を確保した後、１章分の印刷をする（Ｓ４５）。これが終われば次の章について同様な処理を行い、最後の章に至るまでこれを繰り返す（ｓ４６）。全ての章の印刷が完了すれば、処理を終了する。
［原稿／メモ付き同時印刷］
図６に戻って、原稿／メモ付き同時印刷が選択されていると（Ｓ７）、処理は図１１に進む。
【００２８】
原稿／メモ付き同時印刷は、既述したように、１枚は原稿そのままの印刷、もう１枚はメモ付き原稿を印刷する処理である。印刷枚数は原稿枚数の２倍になる。
図１１において、１ページ分の印刷データを取得すると（Ｓ５１）、そのまま印刷する（Ｓ５２）。これによって、原稿のコピーが印刷される。続いて、その印刷に用いたと同じ印刷データを、８０％に縮小し（Ｓ５３）、余白２０％部分にメモ領域を設定する。そして、メモ形態の設定を行い（Ｓ５４）、設定後の印刷データを印刷する（ｓ５５）。以下、残存印刷データが無くなるまで、Ｓ５１〜Ｓ５５の処理を繰り返し、残存データが無くなると（Ｓ５６）、処理を終了する。
【００２９】
なお、本発明は上記の実施形態に限定されるものでは無く、本発明の技術思想の範囲内で、改変実施可能である。そのような例を以下に列挙する。
・  メモ用紙は、実施の形態では、シートの下側２０％の領域に設定しているが、場所としては、上側でも、中央でも、或いは左右いずれかの端部でも構わない。また、領域の広さも、シートの１０％程度でも、３０％程度でもよく、原稿の種類とか印刷条件等に応じて適宜選択することが出来る。
・  印刷モードにカラーとモノクロがある場合には、メモ用紙はカラー用として、例えばメモ領域が赤の枠で囲まれたシートを、モノクロ用として、メモ領域が黒の枠で囲まれたシートをあらかじめ用意し、カラーモードに応じて適切なメモ用紙のシートが繰り出されるようにすることができる。或いは、
・  実施の形態においては、Ｎ枚の原稿を１枚のシート上に集約印刷する設定において、メモ用紙を挿入する場合は、Ｎ-１枚の原稿と１枚の空白ページとを集約して印刷するようにしているが、メモ用紙は、複数ページ設定することも出来る。
・  原稿／メモ付き同時印刷が指示された場合には、原稿そのままの状態での印刷とメモ用紙を挿入する印刷とを交互に行う構成としているが、これに加えて、原稿画像についてはＯＨＰへの出力とし、メモ付き原稿の画像については通常用紙というように異なる用紙への出力を指定を可能と摺ることも出来る。
【産業上の利用可能性】
【００３０】
文章作成ソフトがサポートしていない場合でも、プリンタドライバによりメモ用紙を印刷文書中に作成できる。
【図面の簡単な説明】
【００３１】
【図１】本発明の実施の形態に係る印刷システムの構成を示す図である。
【図２】端末の構成を示す図である。
【図３】ユーザが印刷指示をしたときに表示されるプロパティ画面を示す。
【図４】メモ用紙設定のプロパティ画面である。
【図５】プルダウンメニュ内の項目を示す図である。
【図６】プリンタの印刷処理動作を制御するフローチャートである。
【図７】各ページにメモ用紙を設定する処理を示すフローチャートである。
【図８】自動判断によりメモ用紙を設定する処理を示すフローチャートである。
【図９】集約印刷をする場合にメモ用紙設定処理を示すフローチャートである。
【図１０】ＣＨＡＰＴＥＲ印刷を行う場合のメモ用紙設定処理を示すフローチャートである。
【図１１】原稿／メモ付き同時印刷を設定した場合の処理を示すフローチャートである。
【図１２】メモ形態の設定処理を示すフローチャートである。
【図１３】メモ用紙を設定した例を示す図である。
【図１４】集約印刷の例を示す図である。
【符号の説明】
【００３２】
Ｔ１、Ｔ２、Ｔ３    端末
Ｐ    プリンタ
１
アプリケーション
２    プリンタドライバ
３    描画プログラム
４    スプーラ
５    ポートモニタ
６    ＴＣＰ／ＩＰスタック
２０    メモ用紙タブ、
２１    プロパティボタン
２２Ａ、Ｂ、２３Ａ、Ｂ、Ｃ、２５Ａ、Ｂ    ラジオボタン、
２４    プルダウンメニュ
【図１】
2007025923.tif 000003
【図２】
2007025923.tif 000004
【図３】
2007025923.tif 000005
【図４】
2007025923.tif 000006
【図５】
2007025923.tif 000007
【図６】
2007025923.tif 000008
【図７】
2007025923.tif 000009
【図８】
2007025923.tif 000010
【図９】
2007025923.tif 000011
【図１０】
2007025923.tif 000012
【図１１】
2007025923.tif 000013
【図１２】
2007025923.tif 000014
【図１３】
2007025923.tif 000015
【図１４】
2007025923.tif 000016